(57)【特許請求の範囲】
【請求項１】
４枚のフロアパネルの隅部を突合せ状態で支持するため溝部の中央に支持壁を立設した断面凹状の支持溝を平面から見て略十字状をなすように上面に形成すると共に、下面側にベース部材と結合するための係止片を突出させた合成樹脂製のパネル支持部材と、該支持部材がその係止片を係止穴に嵌入して上面に載置結合されるように形成した伏せた状態の略皿状をなす金属製のベース部材とから成り、前記パネルの隅部を、前記支持部材の支持溝に、該溝の側壁と支持壁の間に挟持させた状態で支持すると共に、前記ベース部材の高さと内径を、パネル支持部材の高さと外径よりも大き目に形成することにより、前記パネル支持部材とベース部材とを組立て状態でスタッキングできるようにしたことを特徴とするフリーアクセスフロア用支持脚。
【請求項２】
４枚のフロアパネルの隅部を突合せ状態で支持するため溝部の中央に支持壁を立設した断面凹状の支持溝を平面から見て略十字状をなすように上面に形成すると共に、下面側にベース部材と結合するための係止片を突出させた合成樹脂製のパネル支持部材と、該支持部材がその係止片を係止穴に嵌入して上面に載置結合されるように形成した伏せた状態の略皿状をなす金属製のベース部材とから成り、前記パネルの隅部を、前記支持部材の支持溝に、該溝の側壁と支持壁の間に挟持させた状態で支持すると共に、前記各係止片を支持溝に収まる幅に形成し、かつ、対面する一組の係止片が一線上にある前記支持壁を両外側から挟むことができるように当該係止片を突出形成することにより、前記パネル支持部材同士をスタッキングできるようにしたことを特徴とするフリーアクセスフロア用支持脚。
【請求項３】
支持溝と支持壁に隅部が支持されるパネルは、皿ネジによって各パネル隅部を上面から押えて前記支持部材とベース部材の中心部に緊締されるようにした請求項１又は２のフリーアクセスフロア用支持脚。
【発明の詳細な説明】
【０００１】
【発明の属する技術分野】
本発明は、特に、既存のビルなどの建物の床に、後からフリーアクセスフロアを設置する場合において好適な当該フロア用の支持脚に関する。
【０００２】
【従来の技術】
フリーアクセスフロアは、建物の床の上にフロア用パネルを敷設して二重床構造に形成し、該二重床が形成する空間に電源用や通信用のケーブルなどを自由に引き回したり、空調用の配管を敷設したりすることができるところから、新築されるビルの床の殆んどはフリーアクセスフロア仕様であるが、建築時期が古い建物では床スラブを後からフリーアクセスフロア仕様にリニューアルすることが多い。
【０００３】
床スラブ上にフリーアクセスフロア用のパネルを敷設する場合、フロアパネルを床スラブから浮かせて設けることによってパネル面から天井までの高さが出来るだけ小さくならないように、高さが低目の支持脚を用いることが多く、また、このための低目の支持脚として、特許第２７７８５３８号、特許第２８４２２５８号、特許第３０３５１１号、特開２０００−５４６０６号など数多くの発明が提案され、実用に供されているものも多い。
【０００４】
しかし、上記の提案されているフリーアクセスフロア用の支持脚は、それぞれの課題を解決することができる構成を具備したものではあるが、未だ解決すべき問題点も残っている。即ち、これらの支持脚が用を終えて廃棄される場合の環境保全を考慮したリサイクル性、或は、運搬，保管時のスペース性などについては、特に検討されたと評価できる構成を具備したものは見当らない。また、この種の支持脚は高さ調節機構を省略した簡易な構造の載置タイプのものが殆んどであるため、支持するパネル隅部の浮上り防止策も、パネル隅部を強く挟持することが精々であり、従って、床スラブに不陸等がある場合には、支持したパネルの隅部が浮上ってしまうこともまま見られる。
【０００５】
【発明が解決しようとする課題】
本発明は上記のようなフリーアクセスフロア用支持脚の現状に鑑み、床スラブの上をフリーアクセスフロア化する場合に使用してフロアパネルを浮上りを押さえて強固に支持できる構造を具備していることは勿論、フリーアクセスフロアの設置に当り当該支持脚の保管や運搬のスペース性が良好であり、また、用済み後に廃棄する場合の環境保全を加味したリサイクル性も良好なフリーアクセスフロア用の支持脚を提供することを、その課題とするものである。
【０００６】
【課題を解決するための手段】
上記課題を解決することを目的としてなされた本発明フリーアクセスフロア用支持脚の構成は、４枚のフロアパネルの隅部を突合せ状態で支持するため溝部の中央に支持壁を立設した断面凹状の支持溝を平面から見て略十字状をなすように上面に形成すると共に、下面側にベース部材と結合するための係止片を突出させた合成樹脂製のパネル支持部材と、該支持部材がその係止片を係止穴に嵌入して上面に載置結合されるように形成した伏せた状態の略皿状をなす金属製のベース部材とから成り、前記パネルの隅部を、前記支持部材の支持溝に、該溝の側壁と支持壁の間に挟持させた状態で支持すると共に、前記ベース部材の高さと内径を、パネル支持部材の高さと外径よりも大き目に形成することにより、前記パネル支持部材とベース部材とを組立て状態でスタッキングできるようにしたことを特徴とするものである。
【０００７】
本発明支持脚は、各係止片を支持溝に収まる幅に形成し、かつ、対面する一組の係止片が一線上にある前記支持壁を両外側から挟むことができるように当該係止片を突出形成することにより、前記パネル支持部材同士をスタッキングできるようにした構成にすることもできる。また、本発明支持脚では、支持溝と支持壁に隅部が支持されたパネルは、皿ネジによって各パネルの隅部を上面から押え、前記支持部材とベース部材とに緊締されるようにすることにより、支持したパネルの隅部が支持脚から浮上らないようにすることができる。従って、本発明支持脚は、パネル支持部材同士をスタッキングすることができ、また、パネル支持部材とベース部材とを組立て状態でスタッキングすることができるので、その運搬，保管におけるスペース効率を高くできる。
【０００８】
【発明の実施の形態】
次に本発明支持脚の実施の形態例について図に拠りつつ説明するが、この説明に先立ち、図面について説明する。図１は本発明支持脚の一例の構造とフリーアクセスフロア用パネルの隅部との関係を説明するため支持脚を分解状態にしてその一部を断面にした正面図、図２は図１の本発明支持脚に用いたパネル支持部材の平面図、図３は図２のＡ矢視正面図、図４は図２のａ−a′矢視断面図、図５は図２のｂ−b′矢視断面図、図６は図１の本発明支持脚に用いたベース部材の平面図、図７は図６のＡ矢視正面図、図８は図６のａ−a′矢視断面図、図９は図６のｂ−b′矢視断面図、図10は図１の支持脚を組立てた状態の左半を断面にした正面図、図11は本発明支持脚により支持してフリーアクセスフロアを構成する正方形のフロア用パネルの平面図、図12は図11のパネルの正面図、図13は長方形のフロア用パネルの平面図、図14は図13のパネルの正面図、図15は、図11，図13のパネルにおける一つの隅部の拡大平面図、図16は図13のパネルの長辺の中間部に形成した本発明支持脚の装着部、図17は図15，図16におけるＡ−A′矢視断面図、図18は図11〜図14のパネルに形成したビードの断面図、図19は本発明支持脚の使用状態を例示した要部の平面図、図20はフロアパネルの隅部と支持部材とベース部材とを皿ネジで一体的に締結した状態の正断面図、図21は本発明支持脚におけるパネル支持部材同士をスタッキングした状態の正断面図、図22は本発明支持脚同士をスタッキングした状態の正断面図である。
【０００９】
図１〜図５、並びに、図10において、１は４枚のパネルＰの隅部Pcを突合せ状態で集合させたとき、各パネルＰの平面90度をなす隅部Pcを集合した突合せ状態で支持するため、合成樹脂材を成形加工して形成したパネル支持部材である。この合成樹脂材は、用済み後の処理において環境保全性が高く、しかも再利用が可能な合成樹脂、例えばポリプロピレンを使用する。
【００１０】
上記のパネル支持部材１は、図示した例では平面から見て円形をなし、その上面に平面から見て略十字状に配置された断面略凹状の支持溝2X，2Yが形成されていると共に、周縁に下向きの立壁３を具備して、その基本形態が形成されている。この支持部材１の平面形状は、例示した円形に限られず四角形等の多角形であってもよい。
【００１１】
上記支持溝2X，2Yは、それぞれ溝幅の略中央部に立壁状の支持壁4Xa，4Xb、4Ya，4Ybを具備すると共に、各支持壁4Xa〜4Ybに隣り合う外周側に、それぞれ下向きに垂下した形態の爪状をなす４本の係止片5X，5Yを具備して形成されている。前記構成において、各支持壁4Xa〜4Ybは、下部に向けて肉厚が漸増するテーパ状断面に形成されている。また、各係止片5X，5Yは、この支持部材１の底壁に穴1aを設けて各係止片5X，5Yと前記底壁との接合線が縦向きになるように形成すると共に、各支持片5X，5Yにそれらの内，外面に対し弾撥的に傾斜可能な弾性を付与し、かつ、各係止片5X，5Yの外面の中間部に係止用段部5aを設けて形成されている。更に、上記支持溝2X，2Yの交点2XYの中心には、後述する皿ビスのためのマーカとなる小さな窪み６が形成されている。
【００１２】
上記構成を具備したパネル支持部材１を上部に載架して当該部材１に結合的に支持されるベース部材７は、図６〜図９、並びに、図10に例示したように、次の構成を具備して形成されているので、以下に説明する。なお、本発明におけるベース部材７は、用済み後廃棄における環境保全性やリサイクル性、或は、この部材７に要請される強度並びにそのための形状，構造による加工性に鑑み、金属材をプレス加工やダイキャスト加工によって形成したものであることが望ましい。
【００１３】
上記のベース部材７は、概ね皿乃至は椀を伏せたような形態で、その上面7aは上記支持部材１の立壁３の下端周縁の内面に形成した結合縁3aに合致する外径，形状の上部縁8aを有し、この縁8aから外側に拡がりつつ垂下する傾斜を与えた立壁状の周壁８が一体に形成され、該周壁８の下端にそれと一体の水平なフランジ部8bを有した基本形態に形成されている。8cはフランジ部8bに等ピッチで４個明けられた位置決め用の穴、8dは各穴8cの中間に刻印等により形成した位置決め用のマークである。ここで、ベース部材７の周壁８がなす平面形状は、上記のパネル支持部材１の平面形状に対応したものである。即ち、前記支持部材１が円形であれば周壁８がなす平面形状も円形であり、前記支持部材１が多角形であれば周壁がなす平面形状も同様の多角形である。
【００１４】
上記ベース部材７の上面7aには、その上に載置されるパネル支持部材１の４つの係止片5X，5Yが挿入され、各係止片5X，5Yの外面に形成した段部5aにおいて当該各係止片5X，5Yを係止する４個の係止穴9X，9Yが、上記４個の係止片5X，5Yに対応して形成されていると共に、各係止穴9Xと9Yの中間に位置した外周側に、載置されるパネル支持部材１における立壁３の内周面に当接される４個のずれ止め用の舌片10が立設されている。ここで、前記係止穴9X，9Yの周囲は、各係止片5X，5Yを前記穴9X，9Yに入れ易くするために下面側に向けて凹状に窪ませた凹陥部9aに形成されている。また、ベース部材７の上面7aの中心には、前記支持部材１の中心に形成したマーカになる窪み６に対応してビス穴11が設けられており、以上の上面7aからビス穴11までの構成によりベース部材７が形成されている。
【００１５】
上記の構成を具備したパネル支持部材１とこの部材１を上部に載置するベース部材７とは、パネル支持部材１の下面に突設された４個の係止片5X，5Yを、ベース部材７の上面7aに前記各係止片5X，5Y対応して形成された周囲に凹陥部9aを有する４個の係止穴9X，9Yに挿入してやると、各係止片5X，5Yは、その先端が各穴9X，9Yの周囲の凹陥部9aに案内されて確実に対応する各穴9X，9Yに入ると共に、各係止片5X，5Yの係合用の各段部5aが各係止穴9X，9Y縁部を通過するとき、各係止片5X，5Yはその弾性によって撓みつつ通過し、各係止穴9X，9Yの裏面に前記段部5aが弾撥的に係止される。これにより前記支持部材１はベース部材７の上に載った形態になって両部材１，７が結合一体化される。この結合時、ベース部材７の上面7aに設けた４個の舌片10は、その外面が等間隔で支持部材１の立壁３の内周面に当接されるので、パネル支持部材１とベース部材７とは、水平方向，垂直方向、並びに、中心の垂直軸回りに相対的にズレることなく強固に一体化されたフリーアクセスフロア用の支持脚Ls（図10参照）に形成されるのである。ここで、合成樹脂製のパネル支持部材１は、その係止片5X，5Yが不測の原因によって欠落したり破損されることがあっても、ベース部材７の上面に設けた舌片10がこのパネル支持部材１の立壁３をその内周面において支持しているので、当該支持部材１がベース部材７の上面から滑り落ちてパネルの支持ができなくなるといった事態にはならない。
【００１６】
上記のように形成された本発明支持脚Lsは、図11〜図18により説明する構成のフロア用パネルP1，P2を図19に例示するような平面形態で支持してフリーアクセスフロアを形成するので、以下にパネルP1，P2の例について説明する。
【００１７】
図11〜図18において、P1，P2は、本発明支持脚Lsに支持させてフリーアクセスフロアを形成するためのフロア用のパネルで、パネルP1は平面から見て正方形、パネルP2は平面から見て前記パネルP1の一辺を短辺とする長方形である。本発明支持脚Lsは、必ず上記２種類のパネルP1とP2を支持しなければならない訳ではなく、敷設場所の平面形状などによっては、いずれか一方だけのパネルP1又はP2のみを支持するために使用されることもあり得る。
【００１８】
図示した上記パネルP1，P2は、例えば厚さ２〜３mm程度の鋼板をプレス加工して形成したものであり、パネルP1，P2の周囲にはそれらの上面12に対して略90度曲げて垂下させられた立壁13が形成されている。この立壁13の高さは、パネルP1，P2全体の立壁13を含む厚さを抑える趣旨で15mm程度に整えてあるが、立壁13の高さをどの程度にするかは任意である。また、パネルP1，P2の材質や加工法も、上記例は一例であって、本発明支持脚Lsが支持できるフリーアクセスフロア用パネルは、上記例のパネルP1，P2に限られるものではない。
【００１９】
上記パネルP1，P2のパネル立壁13は、各パネルP1，P2の四つの隅部Pcにおけるコーナーには形成されていない（図12，図14，図15参照）。これは各パネルP1，P2における隅部Pcのコーナー上面12のみを、本発明支持脚Lsに装着するための約45度の下り勾配面Dfに形成するためである。この勾配面Dfは、長方形のパネルP2においては、長辺の中間に位置する上面12の縁に平面から見て略半円状に凹陥形成した支持脚Lsの装着部12aにも形成されている。
【００２０】
14は上記パネルP1，P2の少なくとも一辺にパネル内部側へ逆台形状に凹陥するように形成した配線取出凹部、15は上記パネルP1，P2の上面12に形成した浅い凹溝により平面三角形状を呈する補強用ビードであり、以上の構成を以て本発明支持脚Lsに支持されるフロア用パネルP1，P2の一例を形成する。なお、配線取出凹部14は２辺以上に設けてもよく、また、補強用ビード５のパターンも、配線取出凹部14によるパネルP1又はP2の強度低下を補完できるものであれば、図示した平面三角形状以外であってもよい。
【００２１】
上記のフロア用パネルP1，P2は、床スラブＦの上に規則的に配置される本発明支持脚Lsによって各パネルP1，P2の少なくとも四隅Pcの部位の立壁13が下から支えられることにより、当該パネルP1，P2と床スラブＦとの間に配線用などに供される二重床空間を形成する。即ち、前記パネルP1又はP2の４枚を、それらの隅部Pc突合せ集合した部分、或は、２枚のパネルP1又はP2の隅部Pcの突合せ集合部分、若しくは、１枚のパネルP1又はP2における前記以外の隅部Pcの立壁13を、パネル支持部材１における支持溝2X，2Yに挿入して該溝2X，2Yの各側壁と各支持壁4xa〜4Ybに挟持させた状態で支持させてフリーアクセスフロアを形成するのである。
【００２２】
各パネルP1又はP2の隅部Pcの支持においては、各隅部Pcの立壁13が、支持溝2X，2Yの各側壁面と各支持壁4Xa〜4Ybの間に挟持され、かつ、各支持壁4Xa〜4Ybが下方に肉厚のテーパ状であること、及び、前記各パネルP1又はP2には、その上面12から荷重がかかることとが相俟って、各パネルP1又はP2の隅部Pcがより強固に本発明支持脚Lsのパネル支持部材１に結合的に支持されることとなる。
【００２３】
これに加え、本発明支持脚Lsの中心部に集合する各パネルP1又はP2の隅部Pcにおけるコーナーの下り勾配面Dfは、図20に示すように、パネル支持部材１の中心の窪み６の真上に位置するので、その窪み６にタッピング用の皿ネジ16を当てがってねじ込むと、そのネジ12はベース部材７のネジ穴11に螺合してこのネジ16の皿状頭部16aの下面が各勾配面Dfを上面から押圧することになり、これによって各パネルP1又はP2の隅部Pcは、上記の支持溝2X，2Yと支持壁4Xa〜4Ybによる上記の挟持作用と相俟って、強固に本発明支持脚Lsに結合支持されることとなる。なお、皿ネジ16に図20のものより長いネジ（図示せず）を使用して、各パネルP1又はP2の隅部Pcを本発明支持脚Lsを介して床スラブＦに固定するようにしてもよい。
【００２４】
上記のような各パネルP1又はP2に対する支持特性並びに結合特性を有する本発明支持脚Lsは、その構成によって図21に例示するように、パネル支持部材１同士をスタッキングしたり、図22に例示するように本発明支持脚Ls同士をスタッキングして、本発明支持脚Lsの部品又は完成品の状態でスペース効率のよい取扱いをすることができる。ここでは図示していないが、ベース部材７同士も上記と同様の趣旨でスタッキングすることができる。
【００２５】
即ち、パネル支持部材１同士のスタッキングは、上位の支持部材１の４個の係止片5X，5Yが下位の支持部材１の支持溝2X，2Yに丁度収まるのみならず、互に対面した４個の係止片5X，5Yの内面が各支持溝2X，2Yに立設された各支持壁4Xa〜4Ybをそれらの外周側から挟持するので、図21に示すように、各支持部材１の間に無駄な空間を形成することなく積層スタックできるのみならず、スタッキングした支持部材１の層が崩落することもなく、従って、取扱い上きわめて好都合である。
【００２６】
また、パネル支持部材１とベース部材７とを結合一体化して組立てた本発明支持脚Ls同士のスタッキングにおいても、図22に示すように、下位のパネル支持部材１は上位のベース部材７の内側に殆んど無駄なスペースを形成することなく収まり、しかも、前述したように、４個の係止片5X，5Yの内面が各支持溝2X，2Yに設けられている各支持壁4Xa〜4Ybを外周側から挟持するので、スペース効率が良好であるのみならず、積層状態でそれが崩れ難い安定なスタッキングを実現できるのである。
【００２７】
更に、組立てられていた支持脚Lsを、パネル支持部材１とベース部材７とに分離するには、対向する少なくとも２本の係止片5X，5X（又は5Y，5Y）を手で掴んでその係止穴9X，9X（又は9Y，9Y）から離脱するように押上げると、残りの係止片5Y，5Y（又は5X，5X）もその弾性によって係止穴9Y，9Y（又は9X，9X）から容易に離脱させることができるので、本発明支持脚Lsは組立性のみならず、分解性においても取扱い易く、従って、支持部材１とベース部材７の構成部材の分別廃棄やリサイクルが便利になる。
【００２８】
【発明の効果】
本発明支持脚は以上の通りであって、床スラブの上をフリーアクセスフロア化する場合に使用してフロアパネルを強固に支持できる構造を具備し、フリーアクセスフロアの設置に当り当該支持脚の保管や運搬のスペース性が良好であり、また、用済み後の廃棄におけるリサイクル性も良好なフリーアクセスフロア用の支持脚を提供するために、その支持脚を、４枚のフロアパネルの隅部を突合せ状態で支持するため溝部の中央に支持壁を立設した断面凹状の支持溝を平面から見て略十字状をなすように上面に形成すると共に、下面側にベース部材と結合するための係止片を突出させた合成樹脂製のパネル支持部材と、該支持部材がその係止片を係止穴に嵌入して上面に載置結合されるように形成した伏せた状態の略皿状をなす金属製のベース部材とから成り、前記パネルの隅部を、前記支持部材の支持溝に、該溝の側壁と支持壁の間に挟持させた状態で支持すると共に、前記ベース部材の高さと内径を、パネル支持部材の高さと外径よりも大き目に形成することにより、前記パネル支持部材とベース部材とを組立て状態でスタッキングできるようにしたので、その運搬，保管におけるスペース効率が高いのみならず、パネル支持部材同士もスタッキングできるので、部品状態での運搬，保管におけるスペース効率も良好であるという効果がある。また、本発明支持脚は、上記構成故に、フリーアクセスフロア用のパネルを強固に支持することができ、特に、皿ネジを用いて支持する各パネルの隅部を上面から押え込んでパネル支持部材に緊締取付けした場合には、不陸や偏荷重によってパネルの隅部が支持脚から浮き上る事態を未然に防ぐことができる。
【００２９】
また、本発明支持脚は、構造が複雑なパネル支持部材を、金属製パネルとの衝接音が響かないという長所を持つ再利用可能な合成樹脂製とし、構造が簡潔なベース部材を強度に優れている金属製とする２ピース構造にしたので、合成樹脂の成形技術と金属加工技術の長所を活かしつつフリーアクセスフロア用の支持脚を合理的かつ低コストで製造することが可能になり、また、２ピース構造であっても用済み後はいずれの部材もリサイクル可能であるから、この面でも従来品にない利点がある。
【図面の簡単な説明】
【図１】  本発明支持脚の一例の構造とフリーアクセスフロア用パネルの隅部との関係を説明するため支持脚を分解状態にしてその一部を断面にした正面図。
【図２】  図１の本発明支持脚に用いたパネル支持部材の平面図。
【図３】  図２のＡ矢視正面図。
【図４】  図２のａ−a′矢視断面図。
【図５】  図２のｂ−b′矢視断面図。
【図６】  図１の本発明支持脚に用いたベース部材の平面図。
【図７】  図６のＡ矢視正面図。
【図８】  図６のａ−a′矢視断面図。
【図９】  図６のｂ−b′矢視断面図。
【図10】  図１の支持脚を組立てた状態の左半を断面にした正面図。
【図11】  本発明支持脚により支持してフリーアクセスフロアを構成する正方形のフロア用パネルの平面図。
【図12】  図11のパネルの正面図。
【図13】  長方形のフロア用パネルの平面図。
【図1４】  図13のパネルの正面図。
【図15】  図11，図13のパネルにおける一つの隅部の拡大平面図。
【図16】  図13のパネルの長辺の中間部に形成した本発明支持脚の装着部。
【図17】  図15，図16におけるＡ−A′矢視断面図。
【図18】  図11〜図14のパネルに形成したビードの断面図。
【図19】  本発明支持脚の使用状態を例示した要部の平面図。
【図20】  フロアパネルの隅部と支持部材とベース部材とを皿ネジで一体的に締結した状態の正断面図。
【図21】  本発明支持脚におけるパネル支持部材同士をスタッキングした状態の正断面図。
【図22】  本発明支持脚同士をスタッキングした状態の正断面図。
【符号の説明】
Ls                  支持脚
１                  パネル支持部材
2X，2Y              支持溝
３                  立壁
4Xa，4Xb，4Ya，4Yb  立壁状の支持壁
5a                  係止用段部
5X，5Y              係止片
６                  窪み
７                  ベース部材
８                  立壁状の周壁
9X，9Y              係止穴
10                  ずれ止め用の舌片
11                  ビス穴
16                  皿ネジ
P1，P2              フリーアクセスフロア用のパネル
Pc                  パネルの隅部
Df                  下り勾配面
Ｆ                  床スラブ
【図１】
0003823058.tif 000002
【図２】
0003823058.tif 000003
【図３】
0003823058.tif 000004
【図４】
0003823058.tif 000005
【図５】
0003823058.tif 000006
【図６】
0003823058.tif 000007
【図７】
0003823058.tif 000008
【図８】
0003823058.tif 000009
【図９】
0003823058.tif 000010
【図１０】
0003823058.tif 000011
【図１１】
0003823058.tif 000012
【図１２】
0003823058.tif 000013
【図１３】
0003823058.tif 000014
【図１４】
0003823058.tif 000015
【図１５】
0003823058.tif 000016
【図１６】
0003823058.tif 000017
【図１７】
0003823058.tif 000018
【図１８】
0003823058.tif 000019
【図１９】
0003823058.tif 000020
【図２０】
0003823058.tif 000021
【図２１】
0003823058.tif 000022
【図２２】
0003823058.tif 000023